【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
圧電材料により形成された基部と、前記基部と一体に形成され、互いに平行に延びる複数の振動腕とを備え、前記基部の前記振動腕側とは反対側の端部付近で固定支持される音叉型の圧電振動片において、
前記基部の側縁には、前記基部の幅方向の寸法を縮幅するように設けた切り込み部が形成されており、
前記切り込み部が設けられる位置Ｋが、前記振動腕の付け根から、前記振動腕の腕幅寸法Ｗを超える位置であって、かつ前記固定支持される箇所よりも前記付け根側とされていて、
前記各振動腕には、これらの長手方向に沿って形成された長溝と、前記長溝に形成された駆動用の電極とを備えており、かつ前記各振動腕の幅寸法が、前記各振動腕の前記基部に対する付け根の箇所で、前記各振動腕の先端側に向かって急激に縮幅する第１の縮幅部と、前記第１の縮幅部の終端から前記各振動腕の先端側に向かって徐々に縮幅する第２の縮幅部と、前記第２の縮幅部の終端から、前記幅寸法が前記各振動腕の先端側に向かって等しい大きさで延びるか、あるいは増加に転じる幅変化の変更点Ｐとを有することを特徴とする、圧電振動片。
【請求項２】
前記切り込み部の位置Ｋが、前記付け根の箇所から前記腕幅寸法Ｗ×１．２以上離れた位置に形成されることを特徴とする請求項１に記載の圧電振動片。
【請求項３】
パッケージまたはケース内に圧電振動片を収容した圧電デバイスであって、
前記圧電振動片が、
圧電材料により形成された基部と、前記基部と一体に形成され、互いに平行に延びる複数の振動腕とを備え、前記基部の前記振動腕側とは反対側の端部付近で固定支持される音叉型の圧電振動片において、
前記基部の側縁には、前記基部の幅方向の寸法を縮幅するように設けた切り込み部が形成されており、
前記切り込み部が設けられる位置Ｋが、前記振動腕の付け根から、前記振動腕の腕幅寸法Ｗを超える位置であって、かつ前記固定支持される箇所よりも前記付け根側とされていて、
前記各振動腕には、これらの長手方向に沿って形成された長溝と、前記長溝に形成された駆動用の電極とを備えており、かつ前記各振動腕の幅寸法が、前記各振動腕の前記基部に対する付け根の箇所で、前記各振動腕の先端側に向かって急激に縮幅する第１の縮幅部と、前記第１の縮幅部の終端から前記各振動腕の先端側に向かって徐々に縮幅する第２の縮幅部と、前記第２の縮幅部の終端から、前記幅寸法が前記各振動腕の先端側に向かって等しい大きさで延びるか、あるいは増加に転じる幅変化の変更点Ｐとを有することを特徴とする、圧電デバイス。
【請求項４】
前記切り込み部の位置Ｋが、前記付け根の箇所から前記腕幅寸法Ｗ×１．２以上離れた位置に形成されることを特徴とする請求項３に記載の圧電デバイス。
【手続補正２】
【補正対象書類名】明細書
【補正対象項目名】０００８
【補正方法】変更
【補正の内容】
【０００８】
上記目的は、本発明にあっては、圧電材料により形成された基部と、前記基部と一体に形成され、互いに平行に延びる複数の振動腕とを備え、前記基部の前記振動腕側とは反対側の端部付近で固定支持される音叉型の圧電振動片において、前記基部の側縁には、前記基部の幅方向の寸法を縮幅するように設けた切り込み部が形成されており、前記切り込み部が設けられる位置Ｋが、前記振動腕の付け根から、前記振動腕の腕幅寸法Ｗを超える位置であって、かつ前記固定支持される箇所よりも前記付け根側とされていて、前記各振動腕には、これらの長手方向に沿って形成された長溝と、前記長溝に形成され駆動用の電極とを備えており、かつ前記各振動腕の幅寸法が、前記各振動腕の前記基部に対する付け根の箇所で、前記各振動腕の先端側に向かって急激に縮幅する第１の縮幅部と、前記第１の縮幅部の終端から前記各振動腕の先端側に向かって徐々に縮幅する第２の縮幅部と、前記第２の縮幅部の終端から、前記幅寸法が前記各振動腕の先端側に向かって等しい大きさで延びるか、あるいは増加に転じる幅変化の変更点Ｐとを有することを特徴とする、圧電振動片により、達成される。
【手続補正３】
【補正対象書類名】明細書
【補正対象項目名】０００９
【補正方法】変更
【補正の内容】
【０００９】
このような発明の構成によれば、本発明の圧電振動片においては、支持固定される基部に切り込み部が設けられている。
ここで、本発明者は、音叉型振動片の振動腕が屈曲振動する際に、その振動漏れが伝えられる範囲について、振動腕の腕幅寸法Ｗと相関があることに着目し、従来の圧電振動片の切り込み部が、適切な位置に設けられていないという知見を持った。そこで、本発明では、前記切り込み部が設けられる位置Ｋについて、前記振動腕の付け根から、前記振動腕の腕幅寸法Ｗを超える位置であって、かつ前記固定支持される箇所よりも前記付け根側とすることにしたものである。これによって、切り込み部は、振動腕からの振動漏れが、基部側に伝搬することを、より確実に抑制することができる構造とすることができたものである。
したがって、本発明によれば、振動腕側から基部側への振動の漏れ込みを適切に防止して、ドライブレベル特性が良好な圧電振動片を提供することができる。
【手続補正４】
【補正対象書類名】明細書
【補正対象項目名】００１０
【補正方法】変更
【補正の内容】
【００１０】
また、所謂音叉型圧電振動片においては、振動腕に形成した前記長溝に駆動用の電極（励振電極）を形成した場合に、前記振動腕の前記基部に対する付け根の箇所で、先端側に向かって急激に縮幅する第１の縮幅部を設けると、振動腕が屈曲振動する際に、最も大きな応力が作用し、歪みが大きくなる前記付け根部分の剛性を向上させることができる。これにより、振動腕の屈曲振動が安定し、不要な方向への振動成分が抑制されるので、ＣＩ値を低減させることができる。
【手続補正５】
【補正対象書類名】明細書
【補正対象項目名】００１１
【補正方法】変更
【補正の内容】
【００１１】
また、所謂音叉型圧電振動片においては、振動腕に形成した前記長溝に駆動用の電極（励振電極）を形成した場合に、前記基部に近い基端側から先端側に向かって徐々に縮幅する第２の縮幅部を設けるとともに、前記第２の縮幅部の先端側には前記幅寸法が等しい大きさで延びるか、あるいは増加に転じる幅変化の変更点Ｐを設けることにより、ＣＩ値を抑制しつつ、２次の高調波における発振の防止をすることができる。
【手続補正６】
【補正対象書類名】明細書
【補正対象項目名】００１２
【補正方法】変更
【補正の内容】
【００１２】
また、本発明は、さらに、前記切り込み部の位置Ｋが、前記付け根の箇所から前記腕幅寸法Ｗ×１．２以上離れた位置に形成されることを特徴とする。
このような構成は、前記切り込み部の位置Ｋが、前記付け根の箇所から前記腕幅寸法Ｗ×１．２以上離れた位置に形成することで、ドライブレベル特性を正常な圧電振動片のレベルに適合させることができることを実験的に確認できたものである。
【手続補正７】
【補正対象書類名】明細書
【補正対象項目名】００１３
【補正方法】変更
【補正の内容】
【００１３】
また、上記目的は、本発明にあっては、パッケージまたはケース内に圧電振動片を収容した圧電デバイスであって、前記圧電振動片が、圧電材料により形成された基部と、前記基部と一体に形成され、互いに平行に延びる複数の振動腕とを備え、前記基部の前記振動腕側とは反対側の端部付近で固定支持される音叉型の圧電振動片において、前記基部の側縁には、前記基部の幅方向の寸法を縮幅するように設けた切り込み部が形成されており、前記切り込み部が設けられる位置Ｋが、前記振動腕の付け根から、前記振動腕の腕幅寸法Ｗを超える位置であって、かつ前記固定支持される箇所よりも前記付け根側とされていて、前記各振動腕には、これらの長手方向に沿って形成された長溝と、前記長溝に形成された駆動用の電極とを備えており、かつ前記各振動腕の幅寸法が、前記各振動腕の前記基部に対する付け根の箇所で、前記各振動腕の先端側に向かって急激に縮幅する第１の縮幅部と、前記第１の縮幅部の終端から前記各振動腕の先端側に向かって徐々に縮幅する第２の縮幅部と、前記第２の縮幅部の終端から、前記幅寸法が前記各振動腕の先端側に向かって等しい大きさで延びるか、あるいは増加に転じる幅変化の変更点Ｐとを有する圧電デバイスにより、達成される。
【手続補正８】
【補正対象書類名】明細書
【補正対象項目名】００１４
【補正方法】変更
【補正の内容】
【００１４】
このような発明の構成によれば、ドライブレベル特性が良好な圧電デバイスを提供することができる。
【手続補正９】
【補正対象書類名】明細書
【補正対象項目名】００１５
【補正方法】変更
【補正の内容】
【００１５】
また、本発明にかかる圧電デバイスは、前記切り込み部の位置Ｋが、前記付け根の箇所から前記腕幅寸法Ｗ×１．２以上離れた位置に形成しても良い。